(57)【特許請求の範囲】
【請求項１】
被放電部に対向して配置されると共に、被着脱体に対して着脱可能な放電器本体と、
前記放電器本体に支持され、線材により構成された第１の電極部材と、
前記第１の電極部材に対向して配置され、前記第１の電極部材との間に放電用の電圧が印加される第２の電極部材と、
前記第１の電極部材に接触可能に配置され、前記第１の電極部材の清掃を行う電極清掃部材と、
前記電極清掃部材に一体的に配置された被検知部と、
前記電極清掃部材が予め設定された基準位置に移動した場合において、前記被検知部を検知可能な位置に配置された検知部材と、
前記電極清掃部材を、前記第１の電極部材に沿って、前記基準位置に向かう方向と前記基準位置から離れる方向とに移動させる清掃移動部材と、
前記清掃移動部材の移動を制御する移動制御手段であって、電源が供給された場合に、前記清掃移動部材を、前記検知部材が前記被検知部を検知しなくなるまで、前記基準位置から離れる方向に移動させ、前記検知部が前記被検知部を検知しなくなると、前記清掃移動部材を前記基準位置に向けて移動させて、前記基準位置に移動させる前記移動制御手段と、
を備えたことを特徴とする放電器。
【請求項２】
前記基準位置において前記第１の電極部材から前記電極清掃部材とを離間させると共に、前記基準位置から前記電極清掃部材が前記第１の電極部材に沿った方向に移動した場合に、前記第１の電極部材に前記電極清掃部材を接触させる清掃接触機構、
を備えたことを特徴とする請求項１に記載の放電器。
【請求項３】
前記第１の電極部材と前記被放電部との間に配置され、前記第１の電極部材との間に放電用の電圧が印加される第３の電極部材と、
前記第３の電極部材に接触可能に配置されて前記第３の電極部材の清掃を行う第３の清掃部を有する前記電極清掃部材と、
を備えたことを特徴とする請求項１または２に記載の放電器。
【請求項４】
前記被着脱体に前記放電器本体が着脱された場合に前記被着脱体に支持された駆動源からの駆動が伝達される伝達部材に着脱可能に接続される被伝達部材を有し、前記被伝達部材に前記駆動源の逆回転駆動が伝達された場合に前記電極清掃部材を前記基準位置に向かう方向に移動させると共に、前記被伝達部材に前記駆動源の正回転駆動が伝達された場合に前記電極清掃部材を前記基準位置から離れる方向に移動させる前記清掃移動部材、
を備えたことを特徴とする請求項１ないし３のいずれかに記載の放電器。
【請求項５】
媒体に画像を記録する画像記録部を有する画像形成装置の本体と、
前記画像形成装置の本体に対して着脱可能に装着される請求項１ないし４のいずれかに記載の放電器と、
を備えたことを特徴とする画像形成装置。
【請求項６】
画像を表面に保持して回転する像保持体と、
前記放電器により構成され、前記像保持体の表面を帯電させる帯電器と、
を備えたことを特徴とする請求項５に記載の画像形成装置。
【請求項７】
前記放電器により構成され、前記帯電器により帯電された前記像保持体の表面を除電する除電器、
を備えたことを特徴とする請求項５または６に記載の画像形成装置。
【請求項８】
画像を表面に保持して回転する像保持体と、
前記放電器により構成され、前記像保持体の表面の画像を媒体に転写する転写器と、
を備えたことを特徴とする請求項５ないし７のいずれかに記載の画像形成装置。
【発明の詳細な説明】
【技術分野】
【０００１】
本発明は、放電器および画像形成装置に関する。
【背景技術】
【０００２】
従来の電子写真方式の画像形成装置において、像保持体の表面を帯電させたり、除電したり、像保持体表面のトナー像を媒体に転写したり、媒体を除電したりする際に、コロトロンやスコロトロン等の電極から放電を行う放電器が広く使用されている。放電器に関し、以下の特許文献１〜４記載の技術が従来公知である。
【０００３】
特許文献１としての特開２００８−２６６４６号公報には、帯電器（１）の鋸歯状の針電極（２）を清掃する清掃ローラ（５）を、針電極（２）の前端から後端に移動させて清掃するために、モータ（８）が正回転および逆回転して、清掃ローラを往復させる構成が記載されている。特許文献１記載の構成では、モータ（８）が帯電器（１）に支持されており、清掃ローラ（５）を後方に移動させる正回転は、十分に長い時間行って、清掃ローラ（５）が後端に到達しても正回転し続けると共に、逆回転は、前端に配置されたセンサ（９Ｂ）が清掃ローラ（５）の支持体（４）を検出するまで行う構成が記載されている。
【０００４】
特許文献２としての特開２００３−２０２７３４号公報には、モータ（８）が正回転および逆回転して送りネジ（５）を回転させることで、チャージワイヤ（２）を清掃するクリーニングパッド（３）を支持するスライダ（４）を前後方向に移動させる構成が記載されている。特許文献２記載の構成では、チャージャ本体（１）の外部に配置されたモータ（８）の正回転に応じてスライダ（４）が後方に移動して、リア側エンドブロック（１１）に到達すると、モータ（８）がロックされる際に発生する拘束電流に相当する電圧をロック信号として出力することで、後端に到達したことを検出している。このとき、モータ（８）の正回転の開始時に、タイマーによる計時を開始しておき、３０秒たってもロック信号が出力されない場合や、正回転を開始してから４秒以内にロック信号が出力された場合には、動作異常と判別する構成が記載されている。
【０００５】
特許文献３としての特開２００３−９１１４５号公報には、特許文献２と同様の構成において、チャージャ本体（１）の外部に配置されたモータ（８）の正回転に応じてスライダ（４）が後方に移動して、リア側エンドブロック（１１）に到達すると、モータ（８）の出力トルクにより変化する検出電流によりロック状態を検出して、後端に到達したことを検出する構成が記載されている。
【０００６】
特許文献４としての特開平１１−２４２３７４号公報には、２本の帯電ワイヤー（１４）を有するコロナ帯電器（７）において、毎日の電源投入直後および千枚の画像形成毎に、クリーニングパッド（２０）により帯電ワイヤー（１４）を１往復させ、サービスマン用のスイッチが押された場合には、５往復させる構成が記載されている。
【先行技術文献】
【特許文献】
【０００７】
【特許文献１】特開２００８−２６６４６号公報（「００３７」〜「００６４」、図２〜図４）
【特許文献２】特開２００３−２０２７３４号公報（「００１１」〜「００１８」、図１〜図２）
【特許文献３】特開２００３−９１１４５号公報（「０００５」〜「０００９」）
【特許文献４】特開平１１−２４２３７４号公報（「００１６」〜「００２３」）
【発明の概要】
【発明が解決しようとする課題】
【０００８】
本発明は、放電器が着脱される際に電極を清掃する部材の位置がずれて放電不良が発生することを抑制することを技術的課題とする。
【課題を解決するための手段】
【０００９】
前記技術的課題を解決するために、請求項１に記載の発明の放電器は、
被放電部に対向して配置されると共に、被着脱体に対して着脱可能な放電器本体と、
前記放電器本体に支持され、線材により構成された第１の電極部材と、
前記第１の電極部材に対向して配置され、前記第１の電極部材との間に放電用の電圧が印加される第２の電極部材と、
前記第１の電極部材に接触可能に配置され、前記第１の電極部材の清掃を行う電極清掃部材と、
前記電極清掃部材に一体的に配置された被検知部と、
前記電極清掃部材が予め設定された基準位置に移動した場合において、前記被検知部を検知可能な位置に配置された検知部材と、
前記電極清掃部材を、前記第１の電極部材に沿って、前記基準位置に向かう方向と前記基準位置から離れる方向とに移動させる清掃移動部材と、
前記清掃移動部材の移動を制御する移動制御手段であって、電源が供給された場合に、前記清掃移動部材を、前記検知部材が前記被検知部を検知しなくなるまで、前記基準位置から離れる方向に移動させ、前記検知部が前記被検知部を検知しなくなると、前記清掃移動部材を前記基準位置に向けて移動させて、前記基準位置に移動させる前記移動制御手段と、
を備えたことを特徴とする。
【００１０】
請求項２に記載の発明は、請求項１に記載の放電器において、
前記基準位置において前記第１の電極部材から前記電極清掃部材とを離間させると共に、前記基準位置から前記電極清掃部材が前記第１の電極部材に沿った方向に移動した場合に、前記第１の電極部材に前記電極清掃部材を接触させる清掃接触機構、
を備えたことを特徴とする。
【００１１】
請求項３に記載の発明は、請求項１または２に記載の放電器において、
前記第１の電極部材と前記被放電部との間に配置され、前記第１の電極部材との間に放電用の電圧が印加される第３の電極部材と、
前記第３の電極部材に接触可能に配置されて前記第３の電極部材の清掃を行う第３の清掃部を有する前記電極清掃部材と、
を備えたことを特徴とする。
【００１２】
請求項４に記載の発明は、請求項１ないし３のいずれかに記載の放電器において、
前記被着脱体に前記放電器本体が着脱された場合に前記被着脱体に支持された駆動源からの駆動が伝達される伝達部材に着脱可能に接続される被伝達部材を有し、前記被伝達部材に前記駆動源の逆回転駆動が伝達された場合に前記電極清掃部材を前記基準位置に向かう方向に移動させると共に、前記被伝達部材に前記駆動源の正回転駆動が伝達された場合に前記電極清掃部材を前記基準位置から離れる方向に移動させる前記清掃移動部材、
を備えたことを特徴とする。
【００１３】
前記技術的課題を解決するために、請求項５に記載の発明の画像形成装置は、
媒体に画像を記録する画像記録部を有する画像形成装置の本体と、
前記画像形成装置の本体に対して着脱可能に装着される請求項１ないし４のいずれかに記載の放電器と、
を備えたことを特徴とする。
【００１４】
請求項６に記載の発明は、請求項５に記載の画像形成装置において、
画像を表面に保持して回転する像保持体と、
前記放電器により構成され、前記像保持体の表面を帯電させる帯電器と、
を備えたことを特徴とする。
【００１５】
請求項７に記載の発明は、請求項５または６に記載の画像形成装置において、
前記放電器により構成され、前記帯電器により帯電された前記像保持体の表面を除電する除電器、
を備えたことを特徴とする。
【００１６】
請求項８に記載の発明は、請求項５ないし７のいずれかに記載の画像形成装置において、
画像を表面に保持して回転する像保持体と、
前記放電器により構成され、前記像保持体の表面の画像を媒体に転写する転写器と、
を備えたことを特徴とする。
【発明の効果】
【００１７】
請求項１、５に記載の発明によれば、本発明の構成を有しない場合に比べて、放電器が着脱される際に電極を清掃する部材の位置がずれて放電不良が発生することを抑制することができる。
請求項２に記載の発明によれば、基準位置において電極清掃部材と第１の電極部材とを離間させることができる。
請求項３に記載の発明によれば、電極清掃部材の移動に伴って第３の電極部材の清掃も行うことができる。
請求項４に記載の発明によれば、駆動源の正回転及び逆回転に応じて、電極清掃部材を往復移動させることができる。
【００１８】
請求項６に記載の発明によれば、本発明の構成を有しない場合に比べて、帯電不良の発生を抑制することができる。
請求項７に記載の発明によれば、本発明の構成を有しない場合に比べて、除電不良の発生を抑制することができる。
請求項８に記載の発明によれば、本発明の構成を有しない場合に比べて、転写不良の発生を抑制することができる。
【図面の簡単な説明】
【００１９】
【図１】図１は本発明の実施例１の画像形成装置の全体説明図である。
【図２】図２は像保持体ユニットおよび現像器を有する可視像形成装置の説明図である。
【図３】図３は本発明の実施例１の帯電器の斜視説明図である。
【図４】図４は本発明の実施例１の帯電器の要部断面説明図である。
【図５】図５は図４の矢印Ｖ方向から見た図である。
【図６】図６は図５のＶＩ−ＶＩ線断面図であり、電極クリーナが基準位置に移動した状態の説明図である。
【図７】図７は図６に示す状態から電極クリーナが前方に移動した状態の説明図である。
【図８】図８は本発明の実施例１のプリンタの制御部の機能図、いわゆるブロック図である。
【図９】図９は実施例１の電極クリーナの基準位置復帰処理のフローチャートの説明図である。
【図１０】図１０は実施例１の電極クリーナの説明図であり、電極クリーナがホームポジションから前方に少しずれた状態の説明図である。
【発明を実施するための形態】
【００２０】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２１】
図１は本発明の実施例１の画像形成装置の全体説明図である。
図１において、画像形成装置Ｕは、操作部の一例としてのユーザインタフェースＵＩ、画像読取部の一例としてのイメージ入力装置Ｕ１、給紙装置Ｕ２、画像形成装置の本体の一例であって被着脱体の一例としての画像記録装置Ｕ３、および用紙処理装置Ｕ４を有している。
【００２２】
前記ユーザインタフェースＵＩは、入力部の一例としてのコピースタートキー、テンキー等の入力キーおよび表示器ＵＩ1を有している。
前記イメージ入力装置Ｕ１は、画像読取装置の一例としてのイメージスキャナ等により構成されている。図１において、イメージ入力装置Ｕ１では、図示しない原稿を読取って画像情報に変換し、画像記録装置Ｕ３に入力する。
給紙装置Ｕ２は、複数の給紙部の一例としての給紙トレイＴＲ１〜ＴＲ４と、前記各給紙トレイＴＲ１〜ＴＲ４に収容された媒体の一例としての記録用紙Ｓが搬送される給紙路ＳＨ１等を有している。
【００２３】
図１において、画像記録装置Ｕ３は、前記給紙装置Ｕ２から搬送された記録用紙Ｓに画像記録を行う画像記録部、トナーディスペンサー装置Ｕ３ａ、および用紙搬送路ＳＨ２、用紙排出路ＳＨ３、用紙反転路ＳＨ４、用紙循環路ＳＨ６等を有している。なお、前記画像記録部については後述する。
また、画像記録装置Ｕ３は、制御部Ｃ、および、前記制御部Ｃにより制御される潜像書込装置の駆動回路の一例としてのレーザ駆動回路Ｄ、前記制御部Ｃにより制御される電源回路Ｅ等を有している。制御部Ｃにより作動を制御されるレーザ駆動回路Ｄは、前記イメージ入力装置Ｕ１から入力されたＹ：イエロー、Ｍ：マゼンタ、Ｃ：シアン、Ｋ：黒の画像情報に応じたレーザ駆動信号を予め設定された時期に、各色の潜像形成装置ＲＯＳy，ＲＯＳm，ＲＯＳc，ＲＯＳkに出力する。
前記各色の潜像形成装置ＲＯＳy，ＲＯＳm，ＲＯＳc，ＲＯＳkの下方には、像形成ユニット用の引出部材Ｕ３ｂが左右一対の案内部材Ｒ１，Ｒ１により、画像記録装置Ｕ３の前方に引き出された引出位置と画像記録装置Ｕ３内部に装着された装着位置との間で移動可能に支持されている。
【００２４】
図２は像保持体ユニットおよび現像器を有する可視像形成装置の説明図である。
図１、図２において、黒の像保持体ユニットＵＫは、像保持体の一例であって被放電体の一例としての感光体Ｐｋと、放電器の一例としての帯電器ＣＣkと、像保持体用の清掃器の一例としての感光体クリーナＣＬｋと、を有している。なお、実施例１では、帯電器ＣＣｋは、画像記録装置Ｕ３に対して着脱可能な帯電ユニットにより構成されている。そして、他の色Ｙ，Ｍ，Ｃの像保持体ユニットＵＹ，ＵＭ，ＵＣも、感光体Ｐｙ，Ｐｍ，Ｐｃ、放電器の一例としての帯電器ＣＣy，ＣＣm，ＣＣc、感光体クリーナＣＬｙ，ＣＬｍ，ＣＬｃを有している。なお、実施例１では、使用頻度の高く表面の磨耗が多いＫ色の感光体Ｐｋは、他の色の感光体Ｐｙ，Ｐｍ，Ｐｃに比べて大径に構成され、高速回転対応および長寿命化がされている。
前記各像保持体ユニットＵＹ，ＵＭ，ＵＣ，ＵＫと現像ロールＲ０を有する現像器ＧＹ，ＧＭ，ＧＣ，ＧＫとによりトナー像形成部材ＵＹ＋ＧＹ，ＵＭ＋ＧＭ，ＵＣ＋ＧＣ，ＵＫ＋ＧＫが構成されている。前記像形成ユニット用の引出部材Ｕ３ｂには、前記像保持体ユニットＵＹ，ＵＭ，ＵＣ，ＵＫおよび現像器ＧＹ，ＧＭ，ＧＣ，ＧＫが着脱可能に装着される。
【００２５】
図１において、感光体Ｐｙ，Ｐｍ，Ｐｃ，Ｐｋは、それぞれ帯電器ＣＣy，ＣＣm，ＣＣc，ＣＣkにより帯電された後、前記潜像形成装置ＲＯＳy，ＲＯＳm，ＲＯＳc，ＲＯＳkの出力する潜像書込光の一例としてのレーザビームＬｙ，Ｌｍ，Ｌｃ，Ｌｋによりその表面に静電潜像が形成される。前記感光体Ｐｙ，Ｐｍ，Ｐｃ，Ｐｋ表面の静電潜像は、現像器ＧＹ，ＧＭ，ＧＣ，ＧＫによりＹ（イエロー）、Ｍ（マゼンタ）、Ｃ（シアン）、Ｋ（黒）の色のトナー像に現像される。
【００２６】
感光体Ｐｙ，Ｐｍ，Ｐｃ，Ｐｋ表面上のトナー像は、一次転写器の一例としての１次転写ロールＴ１y，Ｔ１m，Ｔ１c，Ｔ１kにより、像保持体の一例であって中間転写体の一例としての中間転写ベルトＢ上に順次重ねて転写され、中間転写ベルトＢ上に多色画像、いわゆる、カラー画像が形成される。中間転写ベルトＢ上に形成されたカラー画像は、画像記録位置の一例としての２次転写領域Ｑ４に搬送される。
なお、黒画像データのみの場合はＫ（黒）の感光体Ｐｋおよび現像器ＧＫのみが使用され、黒のトナー像のみが形成される。
１次転写後、感光体Ｐｙ，Ｐｍ，Ｐｃ，Ｐｋ表面の残留トナーは感光体用のクリーナＣＬｙ，ＣＬｍ，ＣＬｃ，ＣＬｋによりクリーニングされる。
【００２７】
前記像形成ユニット用の引出部材Ｕ３ｂの下方には、中間転写体用の引出部材Ｕ３ｃが画像記録装置Ｕ３の前方に引き出された引出位置と画像記録装置Ｕ３内部に装着された装着位置との間で移動可能に支持されている。前記中間転写体用の引出部材Ｕ３ｃには、中間転写装置の一例としてのベルトモジュールＢＭが、前記感光体Ｐｙ，Ｐｍ，Ｐｃ，Ｐｋの下面に接触する上昇位置と前記下面から下方に離れた下降位置との間で昇降可能に支持されている。
前記ベルトモジュールＢＭは、前記中間転写ベルトＢと、中間転写体支持部材の一例としてのベルト支持ロールＲｄ，Ｒｔ，Ｒｗ，Ｒｆ，Ｔ２aと、前記１次転写ロールＴ１y，Ｔ１m，Ｔ１c，Ｔ１kとを有する。ベルト支持ロールＲｄ，Ｒｔ，Ｒｗ，Ｒｆ，Ｔ２aは、駆動部材の一例としてのベルト駆動ロールＲｄ、張力付与部材の一例としてのテンションロールＲｔ、蛇行防止部材の一例としてのウォーキングロールＲｗ、従動部材の一例としての複数のアイドラロールＲｆおよび二次転写領域Ｑ４の対向部材の一例としてのバックアップロールＴ２aを有する。そして、前記中間転写ベルトＢは、前記ベルト支持ロールＲｄ，Ｒｔ，Ｒｗ，Ｒｆ，Ｔ２aにより矢印Ｙａ方向に回転移動可能に支持されている。
【００２８】
前記バックアップロールＴ２aの下方には２次転写ユニットＵｔが配置されている。２次転写ユニットＵｔは、二次転写部材の一例としての２次転写ロールＴ２bを有する。２次転写ロールＴ２bは、前記中間転写ベルトＢを挟んでバックアップロールＴ２aに離隔および接触可能に配置されており、前記２次転写ロールＴ２bが中間転写ベルトＢと接触する領域により２次転写領域Ｑ４が形成されている。また、前記バックアップロールＴ２aには、電圧印加用の接触部材の一例としてのコンタクトロールＴ２cが接触しており、前記各ロールＴ２a〜Ｔ２cにより２次転写器Ｔ２が構成されている。
前記コンタクトロールＴ２cには制御部Ｃにより制御される電源回路から予め設定された時期に、トナーの帯電極性と同極性の２次転写電圧が印加される。
【００２９】
前記ベルトモジュールＢＭ下方には用紙搬送路ＳＨ２が配置されている。前記給紙装置Ｕ２の給紙路ＳＨ１から給紙された記録用紙Ｓは、前記用紙搬送路ＳＨ２に搬送され、給紙時期の調節部材の一例としてのレジロールＲｒにより、トナー像が２次転写領域Ｑ４に搬送されるのに時期を合わせて、転写前の媒体案内部材ＳＧr、ＳＧ１を通って２次転写領域Ｑ４に搬送される。
前記中間転写ベルトＢ上のトナー像は、前記２次転写領域Ｑ４を通過する際に前記２次転写器Ｔ２により前記記録用紙Ｓに転写される。なお、フルカラー画像の場合は中間転写ベルトＢ表面に重ねて１次転写されたトナー像が一括して記録用紙Ｓに２次転写される。
【００３０】
２次転写後の前記中間転写ベルトＢは、中間転写体用の清掃器の一例としてのベルトクリーナＣＬBにより清掃、すなわち、クリーニングされる。
前記１次転写ロールＴ１y，Ｔ１m，Ｔ１c，Ｔ１k、中間転写ベルトＢ、二次転写器Ｔ２、ベルトクリーナＣＬB等により、感光体Ｐｙ〜Ｐｋ表面の画像を記録用紙Ｓに転写する転写装置Ｔ１＋Ｂ＋Ｔ２＋ＣＬBが構成されている。
【００３１】
トナー像が２次転写された前記記録用紙Ｓは、転写後の媒体案内部材ＳＧ2、定着前の媒体搬送部材の一例としての用紙搬送ベルトＢＨを通って定着装置Ｆに搬送される。前記定着装置Ｆは、加熱定着部材の一例としての加熱ロールＦｈと、加圧定着部材の一例としての加圧ロールＦｐとを有し、加熱ロールＦｈと加圧ロールＦｐとが接触する領域により定着領域Ｑ５が形成されている。
前記記録用紙Ｓ上のトナー像は定着領域Ｑ５を通過する際に定着装置Ｆにより加熱定着される。
前記トナー像形成部材ＵＹ＋ＧＹ，ＵＭ＋ＧＭ，ＵＣ＋ＧＣ，ＵＫ＋ＧＫや転写装置Ｔ１＋Ｂ＋Ｔ２＋ＣＬB、定着装置等により、記録用紙Ｓに画像を記録する実施例１の画像記録部が構成されている。
【００３２】
前記定着装置Ｆの下流側には搬送路の切替部材の一例としての第１ゲートＧＴ１が設けられている。前記第１ゲートＧＴ１は用紙搬送路ＳＨ２を搬送されて定着領域Ｑ５で加熱定着された記録用紙Ｓを、用紙処理装置Ｕ４の用紙排出路ＳＨ３または用紙反転路ＳＨ４側のいずれかに選択的に切り替える。前記用紙排出路ＳＨ３に搬送された用紙Ｓは、用紙処理装置Ｕ４の用紙搬送路ＳＨ５に搬送される。
【００３３】
用紙搬送路ＳＨ５の途中には、湾曲補正装置の一例としてのカール補正装置Ｕ４ａが配置されており、前記用紙搬送路ＳＨ５には、搬送路の切替部材の一例としての第２ゲートＧ４が配置されている。前記第２ゲートＧ４は、前記画像記録装置Ｕ３の用紙搬送路ＳＨ３から搬送された記録用紙Ｓを、湾曲、いわゆる、カールの方向に応じて、第１カール補正部材ｈ１または第２カール補正部材ｈ２のいずれかの側に搬送する。前記第１カール補正部材ｈ１または第２カール補正部材ｈ２に搬送された記録用紙Ｓは、通過時にカールが補正される。カールが補正された記録用紙Ｓは、排出部材の一例としての排出ロールＲｈから用紙処理装置Ｕ４の排出部の一例としての排出トレイＴＨ１に用紙の画像定着面が上向きの状態、いわゆる、フェイスアップ状態で排出される。
【００３４】
前記第１ゲートＧＴ１により画像記録装置Ｕ３の前記用紙反転路ＳＨ４側に搬送された用紙Ｓは、弾性薄膜状部材により構成された搬送方向の規制部材、いわゆる、マイラーゲートＧＴ２を押しのける形で通過して、画像記録装置Ｕ３の前記用紙反転路ＳＨ４に搬送される。
前記画像記録装置Ｕ３の用紙反転路ＳＨ４の下流端には、用紙循環路ＳＨ６および用紙反転路ＳＨ７が接続されており、その接続部にもマイラーゲートＧＴ３が配置されている。前記第１ゲートＧＴ１を通って用紙搬送路ＳＨ４に搬送された用紙は、前記マイラーゲートＧＴ３を通過して前記用紙処理装置Ｕ４の用紙反転路ＳＨ７側に搬送される。両面印刷を行う場合には、用紙反転路ＳＨ４を搬送されてきた記録用紙Ｓは、前記マイラーゲートＧＴ３を通過して、用紙反転路ＳＨ７に搬送された後、逆方向に搬送、いわゆる、スイッチバックさせられると、マイラーゲートＧＴ３により搬送方向が規制され、スイッチバックした記録用紙Ｓが用紙循環路ＳＨ６側に搬送される。前記用紙循環路ＳＨ６に搬送された記録用紙Ｓは前記給紙路ＳＨ１を通って２次転写領域Ｑ４に再送される。
【００３５】
一方、用紙反転路ＳＨ４を搬送される記録用紙Ｓを、記録用紙Ｓの後端がマイラーゲートＧＴ２を通過後、マイラーゲートＧＴ３を通過する前に、スイッチバックすると、マイラーゲートＧＴ２により記録用紙Ｓの搬送方向が規制され、記録用紙Ｓは表裏が反転された状態で用紙搬送路ＳＨ５に搬送される。表裏が反転された記録用紙Ｓは、カール補正部材Ｕ４ａによりカールが補正された後、前記用紙処理装置Ｕ４の用紙排出トレイＴＨ１に、用紙Ｓの画像定着面が下向きの状態、いわゆる、フェイスダウン状態で排出することができる。
前記符号ＳＨ１〜ＳＨ７で示された要素により用紙搬送路ＳＨが構成されている。また、前記符号ＳＨ，Ｒａ，Ｒｒ，Ｒｈ，ＳＧr，ＳＧ1，ＳＧ2，ＢＨ、ＧＴ１〜ＧＴ３で示された要素により用紙搬送装置ＳＵが構成されている。
【００３６】
（帯電器の説明）
図３は本発明の実施例１の帯電器の斜視説明図である。
図４は本発明の実施例１の帯電器の要部断面説明図である。
図５は図４の矢印Ｖ方向から見た図である。
図６は図５のＶＩ−ＶＩ線断面図であり、電極クリーナが基準位置に移動した状態の説明図である。
なお、図４において、発明を理解しやすくするためにシールド電極の一部の図示を省略している。
また、次に、実施例１の帯電器の説明を行うが、Ｙ，Ｍ，Ｃ，Ｋの各色の帯電器ＣＣｙ〜ＣＣｋは、同様に構成されているため、Ｋ色の帯電器ＣＣｋについて詳細に説明し、その他の色の帯電器ＣＣｙ〜ＣＣｃについては詳細な説明は省略する。
【００３７】
図２、図３、図４において、実施例１の帯電器ＣＣｋは、放電器本体の一例として、前後方向に延びる帯電器本体１を有する。前記帯電器本体１は、第２の電極部材の一例として、前後方向に延び且つ感光体Ｐｋ側が開放されたコの型の導電性金属材料により構成されたシールド電極２を有する。前記シールド電極２は、前後方向に延びる板状の上壁部２ａと、上壁部２ａの左右両側から下方に延びる板状の左壁部２ｂおよび右壁部２ｃと、を有する。上壁部２ａの左部には、前後方向に延びる開口２ｄが形成されており、画像記録装置Ｕ３内に配置された図示しない送風機からの空気が通過して、感光体Ｐｋと対向する帯電領域Ｑ１を通じて、放電時に発生するオゾン等を排出可能になっている。
前記シールド電極２の後端には、一端部材の一例としての後端ブロック３が支持されており、シールド電極２の前端には、他端部材の一例としての前端ブロック４が支持されている。前後の各ブロック３，４の右上部には、清掃移動部材用の支持体の一例として、前後方向に延びる筒状のシャフト受け部３ａ，４ａが形成されている。
【００３８】
前記シャフト受け部３ａ，４ａには、回転部材の一例として、前後方向に延びるシャフト６が回転可能に支持されている。シャフト６の外周面には、ネジ６ａが形成されている。シャフト６の後端部は、後側のシャフト受け部３ａを貫通して後方に延びており、後端には、被伝達部材の一例としての従動カップリング７が支持されている。従動カップリング７は、帯電器ＣＣｋが画像記録装置Ｕ３に装着された場合に、画像記録装置Ｕ３に回転可能に支持された伝達部材の一例としての駆動カップリング８に噛み合った状態で支持される。駆動カップリング８には、電極清掃部材の駆動源の一例として、画像記録装置Ｕ３に支持された正逆回転可能な電極クリーナ用のモータ９からの駆動が伝達可能に構成されている。
【００３９】
図２〜図６において、前記帯電器本体１の内部には、第１の電極部材の一例として、前後方向に延びる線材により構成され、前後両端が各ブロック３，４に支持されたワイヤ電極１１が配置されている。
前記シールド電極２の下側の開口位置、すなわち、感光体Ｐｋの対向領域である帯電領域Ｑ１側には、第３の電極部材の一例として、前後方向に延びる薄膜状の導電性材料に多数の貫通孔が形成された網状のグリッド電極１２が支持されている。前記グリッド電極１２は、前後両端が各ブロック３，４に張架された状態で支持される。
前記各電極２，１１，１２には、電源回路Ｅから放電用の電圧が印加され、ワイヤ電極１１とシールド電極１およびグリッド電極１２との電位差に伴って、ワイヤ電極１１から放出された電子により感光体Ｐｋの表面が帯電される。
なお、シールド電極２や、ワイヤ電極１１、グリッド電極１２の構成は、従来公知であり、例えば、特開２００８−２３３２５４号公報等に記載された構成を採用可能であるため、詳細な説明は省略する。
【００４０】
図４〜図６において、帯電器本体１の内部において、ワイヤ電極１１と、シールド電極２およびグリッド電極１２との間には、電極清掃体の一例としての電極クリーナ１６が配置されている。電極クリーナ１６は、第１の清掃枠体の一例として、絶縁材料により構成され、シールド電極２の内周面に沿って配置された下方が開放された角筒状の上スライダフレーム１７を有する。上スライダフレーム１７の右下端には、連結部の一例として、シールド電極２の右壁部２ｃの下端を回り込むようにＵ字状に形成されたアーム部１８が形成されており、アーム部１８の上端には、連動部の一例として、シャフト６が内部を貫通する円筒状のシャフト貫通部１９が形成されている。シャフト貫通部１９の内部には、シャフト６のネジ６ａと噛み合うネジ１９ａが形成されている。したがって、シャフト６が正逆回転すると、ネジ６ａ，１９ａを介してアーム部１８がシャフト６に沿って前後方向、すなわち、基準位置の一例としての後端のホームポジションに対して、離れる方向である前方や近づく方向である後方に移動し、電極クリーナ１６が前後方向に移動するように構成されている。
前記シャフト６やアーム部１８、シャフト貫通部１９等により、実施例１の清掃移動部材６＋１８＋１９が構成されている。
【００４１】
前記上スライダフレーム１７の下部には、第２の清掃枠体の一例として、上方が開放されたＵ字状の下スライダフレーム２１が支持されている。図６において、下スライダフレーム２１の前端部には、第３の清掃支持部の一例として、下方のグリッド電極１２に向けて凹んだ形状に形成されたグリッドクリーナ支持部２１ａが形成されている。前記グリッドクリーナ支持部２１ａの下面には、第３の清掃部の一例として、グリッド電極１２に対向、接触した状態で支持され、電極クリーナ１６の前後方向の往復移動に応じて、グリッド電極１２を清掃するグリッドクリーナ２０が支持されている。実施例１のグリッドクリーナ２０は、基布に清掃用の毛が植毛されたいわゆるブラシ状に構成されているが、これに限定されず、布状の構成とする等、清掃可能な任意の構成とすることが可能である。なお、グリッドクリーナについては、例えば、特開２００６−９１４５６号公報等に記載されており、従来公知の種々の構成を採用可能であるため、詳細な説明は省略する。
【００４２】
図６において、下スライダフレーム２１の前後方向中央部の上面には、電極清掃部材の一例として、ワイヤ電極１１に対して対向して配置された下ワイヤクリーナ２２が支持されている。図６に示すように、下ワイヤクリーナ２２は、電極クリーナ１６が基準位置の一例としてのホームポジションに移動した状態では、ワイヤ電極１１に対して離間した状態となる位置に配置されている。
また、前記下スライダフレーム２１の下面には、下方に延びる板状の被検知部２１ｂが形成されている。電極クリーナ１６が図６に示すホームポジションに移動した状態における被検知部２１ｂに対応する位置には、検知部材の一例として、被検知部２１ｂを検知することで電極クリーナ１６がホームポジションに移動したことを検知する光センサＳＮ１が配置されている。
【００４３】
図５、図６において、前記上スライダフレーム１７の内面には、左右方向の内側に延びる左右一対の軸部２３が支持されている。前記軸部２３の内側には、第１の清掃部材の支持体の一例としての上クリーナ支持体２４が配置されている。上クリーナ支持体２４は、軸部２３に回転可能に支持される左右一対の回転中心部２４ａと、連結部の一例として回転中心部から前方に延びる左右一対のアームプレート部２４ｂと、アームプレート部２４ｂどうしの前端を接続して左右方向に延びる板状の支持体本体２４ｃと、を有する。前記支持体本体２４ｃの下面には、電極清掃部材の一例として、ワイヤ電極１１に対向して配置された上ワイヤクリーナ２６が支持されている。前記アームプレート部２４ｂの下面には、下方に膨らんだ扇形状の離間用の被接触部２４ｄが形成されており、後端ブロック３から電極クリーナ１６内に延びる左右一対の離間用の接触部２７に接触可能に構成されている。
また、実施例１の軸部２３には、上クリーナ支持体２４の前端を下方に回転させる方向、すなわち、上ワイヤクリーナ２６をワイヤ電極１１に接近させる方向に付勢する付勢部材の一例としてのネジリバネ２８が装着されている。
【００４４】
図７は図６に示す状態から電極クリーナが前方に移動した状態の説明図である。
したがって、図６に示す基準位置では、被接触部２４ｄが接触部２７に接触して、ネジリバネ２８を弾性変形させてワイヤ電極１１と上ワイヤクリーナ２６とが離間した状態となる。そして、電極クリーナ用のモータ９が駆動して、電極クリーナ１６が前方に移動すると、図７に示すように、被接触部２４ｄと接触部２７との接触が解除されて、上クリーナ支持体２４の自重やネジリバネ２８の弾性力により、上ワイヤクリーナ２６がワイヤ電極１１に上方から押し当てられる。このとき、上ワイヤクリーナ２６によりワイヤ電極１１が下方に押されて、二点鎖線で示す基準位置におけるワイヤ電極１１の位置に対して、下方に移動する。したがって、ワイヤ電極１１の下面が下ワイヤクリーナ２２に接触し、上下のワイヤクリーナ２２，２６のバランスおよびワイヤ電極１１の張力により、ワイヤ電極１１に上下のワイヤクリーナ２２，２６が予め設定された接触圧力で接触する図７に示す位置に保持される。そして、ワイヤ電極１１にワイヤクリーナ２２，２６が接触した状態で、電極クリーナ１６が前後方向に往復移動することで、ワイヤ電極１１の清掃が行われる。
【００４５】
なお、電極クリーナ１６が帯電器ＣＣｋの前端に到達したことの検出は、従来公知であり、前記特許文献１〜４に記載された方法や、センサを配置して検出する等、任意の方法を採用可能であるため、詳細な説明は省略する。そして、清掃が終了すると、電極クリーナ１６がホームポジションに戻る。
前記上クリーナ支持体２４や被接触部２４ｄ、接触部２７、ネジリバネ２８等により、実施例１の清掃接触機構２４＋２７＋２８が構成されている。
【００４６】
（実施例１の制御部の説明）
図８は本発明の実施例１のプリンタの制御部の機能図、いわゆるブロック図である。
図８において、前記制御部Ｃは、外部との信号の入出力等を行う入出力インターフェースＩ／Ｏ、必要な処理を行うためのプログラムおよび情報等が記憶されたＲＯＭ：リードオンリーメモリ、必要なデータを一時的に記憶するためのＲＡＭ：ランダムアクセスメモリ、前記ＲＯＭに記憶されたプログラムに応じた処理を行うＣＰＵ：中央演算処理装置、ならびに発振器等を有する小型情報処理装置、いわゆるマイクロコンピュータにより構成されており、前記ＲＯＭに記憶されたプログラムを実行することにより種々の機能を実現することができる。
【００４７】
（制御部Ｃに接続された信号出力要素）
前記制御部Ｃは、ユーザインタフェースＵＩや光センサＳＮ１等の信号出力要素からの出力信号が入力されている。
前記ユーザインタフェースＵＩは、表示部ＵＩ１、電源ボタンＵＩ２、入力釦の一例としてのコピースタートキーＵＩ３やテンキーＵＩ４、帯電器ＣＣｙ〜ＣＣｋの電極クリーニングを開始する入力を行うための電極クリーニング開始キーＵＩ５等を備えている。
光センサＳＮ１は、電極クリーナ１６がホームポジションに移動しているか否かを検知する。
【００４８】
（制御部Ｃに接続された被制御要素）
また、制御部Ｃは、主駆動源駆動回路Ｄ１、電源回路Ｅ、電極クリーナ用のモータ駆動回路Ｄ２、その他の図示しない制御要素に接続されており、それらの作動制御信号を出力している。
主駆動源駆動回路Ｄ１は、主駆動源Ｍ１を介して感光体Ｐｙ〜Ｐｋや中間転写ベルトＢ等を回転駆動する。
前記電源回路Ｅは現像用電源回路Ｅａ、帯電用電源回路Ｅｂ、転写用電源回路Ｅｃ、定着用電源回路Ｅｄ等を有している。
【００４９】
現像用電源回路Ｅａは、現像装置Ｇｙ〜Ｇｋの現像ロールＲ０に現像電圧を印加する。
帯電用電源回路Ｅｂは、帯電器ＣＣｙ〜ＣＣｋそれぞれに感光体Ｐｙ〜Ｐｋ表面を帯電させるための帯電電圧を印加する。
転写用電源回路Ｅｃは、１次転写器Ｔ１ｙ〜Ｔ１ｋや２次転写ロールＴ２ｂに転写電圧を印加する。
定着用電源回路Ｅｄは、定着装置Ｆの加熱ロールＦｈにヒータ加熱用の電源を供給する。
電極クリーナ用のモータ駆動回路Ｄ２は、電極クリーナ用のモータ９を介して電極クリーナ１６を駆動する。
【００５０】
（制御部Ｃの機能）
前記制御部Ｃは、前記信号出力要素からの入力信号に応じた処理を実行して、前記各制御要素に制御信号を出力する機能を有している。すなわち、制御部Ｃは次の機能を有している。
Ｃ１：画像形成動作制御手段
画像形成動作制御手段Ｃ１は、イメージ入力装置Ｕ１から入力された画像情報に応じて、画像形成装置Ｕの各部材の駆動や各電圧の印加時期等を制御して、画像形成動作の一例としてのジョブを実行する。
Ｃ２：主駆動源制御手段
主駆動源制御手段Ｃ２は、主駆動源駆動回路Ｄ１を介して主駆動源Ｍ１の駆動を制御し、感光体Ｐｙ〜Ｐｋ等の駆動を制御する。
【００５１】
Ｃ３：電源回路制御手段
電源回路制御手段Ｃ３は、現像用電源回路制御手段Ｃ３Ａと、帯電用電源回路制御手段Ｃ３Ｂと、転写用電源回路制御手段Ｃ３Ｃと、定着用電源回路制御手段Ｃ３Ｄとを有し、電源回路Ｅの作動を制御して、各部材への電圧印加や電源供給を制御する。
Ｃ３Ａ：現像用電源回路制御手段
現像用電源回路制御手段Ｃ３Ａは、現像用電源回路Ｅａを制御して現像装置Ｇｙ〜Ｇｋの現像ロールに印加する現像電圧を制御する。
Ｃ３Ｂ：帯電用電源回路制御手段
帯電用電源回路制御手段Ｃ３Ｂは、帯電用電源回路Ｅｂを制御して、帯電器ＣＣｙ〜ＣＣｋに印加する帯電電圧を制御する。
【００５２】
Ｃ３Ｃ：転写用電源回路制御手段
転写用電源回路制御手段Ｃ３Ｃは、転写用電源回路Ｅｃを制御して、１次転写器Ｔ１ｙ〜Ｔ１ｋに印加する１次転写電圧や、２次転写ロールＴ２ｂに印加する２次転写電圧を制御する。
Ｃ３Ｄ：定着用電源回路制御手段
定着用電源回路制御手段Ｃ３Ｄは、定着用電源回路Ｅｄを制御して、定着装置Ｆの加熱ロールＦｈのヒータの温度制御、すなわち、定着温度の制御を行う。
【００５３】
Ｃ４：電極清掃制御手段
電極クリーナ１６の移動制御手段の一例としての電極清掃制御手段Ｃ４は、モータ制御手段Ｃ４Ａと、基準位置の復帰制御手段Ｃ４Ｂと、を有し、電極クリーナ１６を制御して、帯電器ＣＣｙ〜ＣＣｋの電極１１，１２の清掃の制御を行う。実施例１の電極清掃制御手段Ｃ４は、電極クリーニング開始キーＵＩ５の入力がされた場合や、予め設定された枚数の一例としての累積印刷枚数が１０００枚になる度、あるいは、画像形成装置Ｕの電源が投入された場合、すなわち電源ボタンＵＩ２がオンになった場合に、電極１１，１２の清掃を行うように制御する。また、実施例１の電極清掃制御手段Ｃ４は、電極クリーニング開始キーＵＩ５の入力時や１０００枚の印刷時には、電極クリーナ１６を前後方向に予め設定された回数、往復移動させて、清掃を行い、電源投入時には、基準位置の復帰制御手段Ｃ４Ｂにより基準位置に電極クリーナ１６が復帰する制御を行う。
【００５４】
Ｃ４Ａ：モータ制御手段
モータ制御手段Ｃ４Ａは、電極クリーナ用のモータ駆動回路Ｄ２を介して電極クリーナ用のモータ９の正逆回転を制御して、電極クリーナ１６の移動を制御する。
Ｃ４Ｂ：基準位置の復帰制御手段
基準位置の復帰制御手段Ｃ４Ｂは、電源投入時の判別フラグＦＬ１と、検知結果の判別手段Ｃ４Ｂ１と、逆回転時間の記憶手段Ｃ４Ｂ２と、計時タイマＴＭ１と、を有し、帯電器ＣＣｙ〜ＣＣｋが画像記録装置Ｕ３に装着された場合に、電極クリーナ１６をホームポジション（基準位置）から離れる方向に移動させ、光センサＳＮ１が被検知部２１ｂを検知不能になると、電極クリーナ１６をホームポジションに向けて移動させて、ホームポジションに移動させる。実施例１の基準位置の復帰制御手段Ｃ４Ｂは、帯電器ＣＣｙ〜ＣＣｋが着脱された可能性のある場合として、電源投入時に、ホームポジションに復帰させる前記した一連の動作を実行する。
【００５５】
ＦＬ１：電源投入時の判別フラグ
着脱の判別手段の一例としての電源投入時の判別フラグＦＬ１は、初期値は「０」であり、電源投入後に「１」となる。すなわち、電源が落とされると初期化されて「０」となる。
Ｃ４Ｂ１：検知結果の判別手段
検知結果の判別手段Ｃ４Ｂ１は、光センサＳＮ１の検出信号に基づいて、光センサＳＮ１の位置に被検知部２１ｂが存在するか否か、すなわち、電極クリーナ１６が基準位置から前方に移動しているか否かを判別する。
【００５６】
Ｃ４Ｂ２：逆回転時間の記憶手段
逆回転時間の記憶手段Ｃ４Ｂ２は、ホームポジションに向けて電極クリーナ１６を移動させるためにモータ９を逆回転させてから停止させるまでの時間である逆回転時間ｔ１を記憶する。
ＴＭ１：計時タイマ
計時タイマＴＭ１は、逆回転時間ｔ１が経過したか否かの計時を行う。
【００５７】
（実施例１の流れ図の説明）
次に、実施例１のプリンタＵにおける制御の流れを流れ図、いわゆるフローチャートを使用して説明する。
（電極クリーナの基準位置復帰処理のフローチャートの説明）
図９は実施例１の電極クリーナの基準位置復帰処理のフローチャートの説明図である。
図９のフローチャートの各ステップＳＴの処理は、前記プリンタＵの制御部Ｃに記憶されたプログラムに従って行われる。また、この処理はプリンタＵの他の各種処理と並行して実行される。
図９に示すフローチャートはプリンタＵの電源投入により開始される。
【００５８】
図９のＳＴ１において、電源投入時の判別フラグＦＬ１が「０」であるか否かを判別する。イエス（Ｙ）の場合はＳＴ２に進み、ノー（Ｎ）の場合はＳＴ１に戻る。
ＳＴ２において、光センサＳＮ１が電極クリーナ１６の被検知部２１ｂを検知したか否かを判別する。イエス（Ｙ）の場合はＳＴ３に進み、ノー（Ｎ）の場合はＳＴ５に進む。
ＳＴ３において、モータ９の正回転、すなわち、電極クリーナ１６の前方への移動を開始する。そして、ＳＴ４に進む。
ＳＴ４において、光センサＳＮ１が電極クリーナ１６の被検知部２１ｂを検知していないか否か、すなわち、ホームポジションから電極クリーナ１６の位置が大きくずれているか否かを判別する。イエス（Ｙ）の場合はＳＴ７に進み、ノー（Ｎ）の場合はＳＴ４を繰り返す。
【００５９】
ＳＴ５において、モータ９の逆回転、すなわち、電極クリーナ１６の後方のホームポジションに向けた移動を開始する。そして、ＳＴ６に進む。
ＳＴ６において、光センサＳＮ１が電極クリーナ１６の被検知部２１ｂを検知したか否かを判別する。イエス（Ｙ）の場合はＳＴ７に進み、ノー（Ｎ）の場合はＳＴ６を繰り返す。
ＳＴ７において、次の処理（１）、（２）を実行し、ＳＴ８に進む。
（１）モータ９の逆回転を開始する。なお、逆回転の駆動中は、逆回転を係属する。
（２）逆回転時間ｔ１の計時を開始する。
【００６０】
ＳＴ８において、逆回転時間ｔ１が経過したか否かを判別する。イエス（Ｙ）の場合はＳＴ９に進み、ノー（Ｎ）の場合はＳＴ８を繰り返す。
ＳＴ９において、次の処理（１）、（２）を実行し、ＳＴ１に戻る。
（１）モータ９の駆動を停止する。
（２）電源投入時の判別フラグＦＬ１を「１」にする。
【００６１】
（実施例１の作用）
前記構成を備えた本発明の実施例１の画像形成装置Ｕでは、ワイヤ電極１１と対向電極部材２＋１２とに電圧が印加されて、電位差が発生すると、放電が発生し、感光体Ｐｙ〜Ｐｋ表面が帯電される。実施例１では、前記グリッド電極１２により、電荷が一様に感光体Ｐｙ〜Ｐｋに供給され、一様に帯電される。
【００６２】
帯電器ＣＣｙ〜ＣＣｋにおける放電時に、帯電器ＣＣｙ〜ＣＣｋ内部には、オゾンＯ３や窒素酸化物ＮＯｘ等の放電生成物が発生する。これら放電生成物はシールド電極２やグリッド電極１２に付着する。放電生成物は、送風機により送られる風によって運ばれて、空気と共に一部が排出される。
実施例１の画像形成装置Ｕでは、電極クリーニング開始キーＵＩ５の入力がされた場合や、累積印刷枚数が１０００枚になる度に、電極クリーナ１６が前後方向に沿って往復移動して、ワイヤ電極１１およびグリッド電極１２に付着した放電生成物の清掃が行われる。
【００６３】
図１０は実施例１の電極クリーナの説明図であり、電極クリーナがホームポジションから前方に少しずれた状態の説明図である。
帯電器ＣＣｙ〜ＣＣｋが故障したり、寿命になったりすると、取り外して点検を行ったり、交換が行われる場合がある。このとき、帯電器ＣＣｙ〜ＣＣｋを取り外す際や、新たな帯電器ＣＣｙ〜ＣＣｋを装着する前に運搬してくる間に、従動カップリング７が回転することがある。従動カップリング７が回転すると、電極クリーナ１６がホームポジションからずれて前方に移動することがある。このとき、光センサＳＮ１が被検知部２１ｂが検知不能な状態まで前方に移動すれば、ホームポジションから電極クリーナ１６がずれていることを光センサＳＮ１が検知可能である。しかしながら、光センサＳＮ１の取付精度や、被検知部２１ｂの部品精度、取付精度、電極クリーナ１６の移動時のガタつき等が存在して、ホームポジションから移動し且つ光センサＳＮ１が被検知部２１ｂを検出でき無い状態となる恐れがある。この状態では、電極クリーナ１６が帯電領域Ｑ１の幅方向の端部に差し掛かって部分的な帯電不良を発生させる恐れがある。
【００６４】
特に、ホームポジションから移動すると、図１０に示すように、光センサＳＮ１が被検知部２１ｂを検出できず、且つ、電極１１，１２に、各クリーナ２０，２２，２６のいずれかまたは全てが接触した状態となる恐れもある。特に、ワイヤ電極１１にクリーナ２２，２６が接触した状態となると、電気抵抗が変動する恐れがあり、放電性能が、予め設定された性能に対して変化する恐れがある。したがって、光センサＳＮ１で検出できずに、ホームポジションに戻らないまま帯電動作を開始すると、帯電不良が発生し、画像形成不良が発生する恐れがある。
【００６５】
これに対して、実施例１の帯電器ＣＣｙ〜ＣＣｋでは、着脱された可能性のある電源投入時に、電極クリーナ１６を、光センサＳＮ１が被検知部２１ｂを検出しなくなるまで前方に移動させた後、後方のホームポジションに向けて移動させて、ホームポジションに確実に復帰させている。
したがって、特許文献１〜４に記載の技術に比べて、帯電不良や画像形成不良の発生が低減されている。また、特許文献１記載の技術では、モータが帯電器に支持されており、重量が重たくなって交換作業の負担が大きくなると共に、交換ユニットである帯電器自体が高費用化する問題もあるが、実施例１では、モータ９が画像記録装置Ｕ３に設けられており、これらの問題が解決されている。
【００６６】
また、仮に、光センサＳＮ１の検出結果に関わらず、最初から後方に向けて移動させることも考えられるが、電極クリーナ１６がホームポジションに移動した状態から後方に向けて移動させると、モータ９に負荷がかかって故障の原因となったり、帯電器本体１が歪む等の問題が発生する恐れがある。これに比べて、実施例１の帯電器ＣＣｙ〜ＣＣｋでは、一度、前方に移動させた後に後方に向けて移動させており、モータ９の故障や帯電器本体１の歪み等の問題の発生が低減されている。
【００６７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ08）を下記に例示する。
（Ｈ01）前記実施例において、画像形成装置の一例としての複写機に限定されず、プリンタ、ＦＡＸ等の画像形成装置にも適用可能である。また、カラーの画像形成装置に限定されず、モノクロの画像形成装置にも適用可能である。さらに、タンデム型の画像形成装置に限定されず、ロータリ型の画像形成装置にも適用可能である。
【００６８】
（Ｈ02）前記実施例において、ワイヤ電極１１は、１本の線材の場合を例示したが、これに限定されず、２本の線材を有する構成等とすることも可能である。
（Ｈ03）前記実施例において、グリッド電極１２は省略することが可能である。
（Ｈ04）前記実施例において、ワイヤ電極１１に対してクリーナ２２，２６が接触、離間する構成を例示したが、クリーナ２２，２６がワイヤ電極１１に常時接触する構成を採用することも可能である。
【００６９】
（Ｈ05）前記実施例において、放電器の一例としての帯電器を例示したが、これに限定されず、放電器の他の例としての感光体Ｐｙ〜Ｐｋや記録用紙Ｓの除電器や補助帯電器、転写器Ｔ１ｙ〜Ｔ１ｋ，Ｔ２等としても使用可能である。
（Ｈ06）前記実施例において、電極クリーナ１６を前後方向に移動させるための構成は、例示したシャフト６を使用する構成に限定されず、前後方向に移動可能な任意の構成を採用可能である。
（Ｈ07）前記実施例において、被検知部２１ｂおよび光センサＳＮ１を配置する位置は、実施例に例示した位置に限定されず、前後方向や左右方向の位置をずらす等、任意の位置に変更可能である。他にも、例えば、被検知部２１ｂを帯電器本体１の外部に突出させて、光センサＳＮ１を帯電器ＣＣｙ〜ＣＣｋのユニットに配置せず、感光体Ｐｙ〜Ｐｋ側に配置したり、画像形成装置の本体Ｕ３に配置して検知を行う構成とすることも可能である。
【００７０】
（Ｈ08）前記実施例において、電極清掃部材２０の構成は実施例に例示した構成に限定されず、設計等に応じて任意の構成を採用可能である。例えば、ブラシや布等の構成も任意の清掃可能な構成、例えば、スポンジ等に変更可能である。さらに、シールド電極１の内周面に接触する清掃部を設けてシールド電極２も清掃可能としたり、グリッド電極１２の下面に接触する清掃部材を設けて、グリッド電極１２の両面を清掃可能な構成とすることも可能である。
【符号の説明】
【００７１】
１…放電器本体、
２…第２の電極部材、
６＋１８＋１９…清掃移動部材、
７…被伝達部材、
８…伝達部材、
９…駆動源、
１１…第１の電極部材、
１２…第３の電極部材、
１７…第３の清掃部、
２１ｂ…被検知部、
２２，２６…電極清掃部材、
２４＋２７＋２８…清掃接触機構、
Ｃ４…移動制御手段、
ＣＣｙ，ＣＣｍ，ＣＣｃ，ＣＣｋ…放電器，帯電器、
Ｐｙ，Ｐｍ，Ｐｃ，Ｐｋ…被放電部，像保持体、
Ｓ…媒体、
ＳＮ１…検知部材、
Ｕ…画像形成装置、
Ｕ３…被着脱体，画像形成装置の本体。
【図１】
0005659785.tif 000002
【図２】
0005659785.tif 000003
【図３】
0005659785.tif 000004
【図４】
0005659785.tif 000005
【図５】
0005659785.tif 000006
【図６】
0005659785.tif 000007
【図７】
0005659785.tif 000008
【図８】
0005659785.tif 000009
【図９】
0005659785.tif 000010
【図１０】
0005659785.tif 000011